(57)【要約】【課題】  災害発生時において、移動局を保持するユーザの安否情報が一時期に集中する事態を回避し、安否情報をより確実に収集することを可能とする。【解決手段】  安否情報収集システムは、基地局と、広域無線通信網を介して基地局と通信することができるとともに、近距離無線通信網を介して他の移動局と通信することができる複数の移動局と、を備える。複数の移動局の間で、近距離無線通信網を介した安否情報データベースの共有化処理が実行される。基地局は、複数の移動局のうちの所定の移動局に対して、共有化された安否情報データベースを要求する。要求に基づいて、所定の移動局は、基地局へ、共有化された安否情報データベースを送信する。【選択図】  図１
2015177409.tif 000002
【特許請求の範囲】
【請求項１】
基地局と、
広域無線通信網を介して前記基地局と通信することができるとともに、近距離無線通信網を介して他の移動局と通信することができる複数の移動局と、
を備え、
複数の前記移動局の間で、前記近距離無線通信網を介した安否情報データベースの共有化処理が実行され、
前記基地局は、複数の前記移動局のうちの所定の前記移動局に対して、共有化された前記安否情報データベースを要求し、
前記要求に基づいて、所定の前記移動局は、前記基地局へ、共有化された前記安否情報データベースを送信する
ことを特徴とする安否情報収集システム。
【請求項２】
前記共有化処理は、子機モードの前記移動局が、少なくとも自己の安否情報を含む第１の安否情報データベースを親機モードの前記移動局へ送信し、親機モードの前記移動局が、前記第１の安否情報データベースに基づいて、受信した全ての前記移動局の安否情報が含まれるような第２の安否情報データベースを作成し、前記第２の安否情報データベースを子機モードの前記移動局へ送信し、子機モードの前記移動局が、前記第２の安否情報データベースと前記第１の安否情報データベースとを比較し、両者に差分がある場合、その差分を前記第１の安否情報データベースに追加して第３の安否情報データベースを作成する処理であることを特徴とする請求項１記載の安否情報収集システム。
【請求項３】
前記共有化処理は、前記基地局から、少なくとも最初に親機モードとなる移動局を識別する識別情報を少なくとも含む設定情報を受信してから、安否情報データベース送受信停止指示を受信するまでの間、継続的に実行されることを特徴とする請求項２記載の安否情報収集システム。
【請求項４】
前記設定情報は、さらに、親機モードが保持される保持時間情報と、前記近距離無線通信網の最大送信電力情報とを含むことを特徴とする請求項３記載の安否情報収集システム。
【請求項５】
前記共有化処理において親機モードとなる前記移動局は、前記基地局のカバーエリアが複数の分割エリアに分割された場合において所定の２つ以上の前記分割エリア同士が重複する位置に存在する移動局であることを特徴とする請求項２記載の安否情報収集システム。
【請求項６】
前記広域無線通信網は、セルラー網であり、前記近距離無線通信網は、無線ＬＡＮであることを特徴とする請求項１−５のいずれか１項に記載の安否情報収集システム。
【請求項７】
基地局と、広域無線通信網を介して前記基地局と通信することができるとともに、近距離無線通信網を介して他の移動局と通信することができる複数の移動局と、を備える安否情報収集システムにおける安否情報収集方法であって、
複数の前記移動局の間で、前記近距離無線通信網を介した安否情報データベースの共有化処理が実行され、
前記基地局から複数の前記移動局のうちの所定の前記移動局に対して、共有化された前記安否情報データベースが要求され、
前記要求に基づいて、所定の前記移動局から前記基地局へ、共有化された前記安否情報データベースが送信される
ことを特徴とする安否情報収集方法。
【請求項８】
基地局と、広域無線通信網を介して前記基地局と通信することができるとともに、近距離無線通信網を介して他の移動局と通信することができる複数の移動局と、を備える安否情報収集システムのコンピュータに、
複数の前記移動局の間で、前記近距離無線通信網を介した安否情報データベースの共有化処理を実行する機能と、
前記基地局から複数の前記移動局のうちの所定の前記移動局に対して、共有化された前記安否情報データベースを要求する機能と、
前記要求に基づいて、所定の前記移動局から前記基地局へ、共有化された前記安否情報データベースを送信する機能と
を実行させるための安否情報収集プログラム。
【請求項９】
広域無線通信網を介して基地局と通信することができるとともに、近距離無線通信網を介して他の移動局と通信することができる複数の移動局であって、
複数の前記移動局の間で、前記近距離無線通信網を介した安否情報データベースの共有化処理が実行され、
前記基地局から複数の前記移動局のうちの所定の前記移動局に対して、共有化された前記安否情報データベースが要求され、
前記要求に基づいて、所定の前記移動局から前記基地局へ、共有化された前記安否情報データベースが送信される
ことを特徴とする移動局。
【請求項１０】
広域無線通信網を介して移動局と通信することができる基地局であって、
複数の前記移動局の間で、近距離無線通信網を介した安否情報データベースの共有化処理が実行された後に、複数の前記移動局のうちの所定の前記移動局に対して、共有化された前記安否情報データベースを要求し、前記要求に基づいて所定の前記移動局から送信された共有化された前記安否情報データベースを受信することを特徴とする基地局。
【発明の詳細な説明】
【技術分野】
【０００１】
本発明は、地震等の災害発生時に人々の安否情報を収集する安否情報収集システム、安否情報収集方法、安否情報収集プログラム、基地局、および移動局に関する。
【背景技術】
【０００２】
地震等の災害発生時に人々の安否情報を収集する安否情報収集システムが知られている。
【０００３】
例えば、特許文献１には、災害情報配信サーバから緊急地震速報をメール受信した携帯端末が自己の現在位置と自局電話番号とパスワードとを含む安否情報メールを災害情報配信サーバへ送信する安否確認システムが記載されている。
【０００４】
特許文献２には、基地局の通信範囲に存在する携帯端末に対して報知用チャネルを介して災害緊急情報を送信する測位サーバと、災害緊急情報に呼応して、自己の位置とユーザの安否情報とを含む安否情報を測位サーバへ送信する携帯端末と、を含む災害時安否情報収集システムが記載されている。
【先行技術文献】
【特許文献】
【０００５】
【特許文献１】特開２０１３−１８７５８０号公報（ページＮｏ．８−９）
【特許文献２】特開２００７−０８７１３９号公報（ページＮｏ．６、１０−１２）
【発明の概要】
【発明が解決しようとする課題】
【０００６】
一般的に、安否情報収集システムにおいて、地震などにより基地局等の通信設備が損傷して通信不可能となる前に移動局の安否情報が収集されている必要がある。
【０００７】
しかしながら、特許文献１や特許文献２における安否情報収集は、セルラー通信網のみを介して行われている。セルラー通信網において、基地局に未接続の移動局が安否情報を送信する場合、移動局は、まず基地局に対しＲＡＣＨ（Ｒａｎｄｏｍ  Ａｃｃｅｓｓ  ＣＨａｎｎｅｌ）を用いて初期アクセスを行う必要がある。しかしながら、ＲＡＣＨは移動局個別にスケジューリングされたチャネルではない。従って、移動局が密集するエリアにおいて、例えば、緊急地震速報が報知された場合、複数の移動局が一斉に初期アクセスを行うことが予想される。多くの移動局のアクセスが集中することにより、移動局間の信号が干渉し、結果として、全ての移動局の初期アクセスを短時間で完了させることが困難となる。当然のことながら、初期アクセスが完了しないとその移動局からは安否情報を取得することができない。この結果、基地局が緊急地震速報を送信してから基地局が地震により損傷するまでの時間内において、移動局が安否情報を送信できなければ、この移動局の安否を確認することは難しくなる。
【０００８】
本発明は、上記課題を解決するためになされたものであり、災害発生時において、移動局からのアクセスが一時期に集中する事態を回避し、安否情報をより確実に収集することが可能な安否情報収集システム、安否情報収集方法、安否情報収集プログラム、基地局、および移動局を提供することにある。
【課題を解決するための手段】
【０００９】
本発明の安否情報収集システムは、基地局と、広域無線通信網を介して前記基地局と通信することができるとともに、近距離無線通信網を介して他の移動局と通信することができる複数の移動局と、を備え、複数の前記移動局の間で、前記近距離無線通信網を介した安否情報データベースの共有化処理が実行され、前記基地局は、複数の前記移動局のうちの所定の前記移動局に対して、共有化された前記安否情報データベースを要求し、前記要求に基づいて、所定の前記移動局は、前記基地局へ、共有化された前記安否情報データベースを送信する。
【００１０】
本発明の安否情報収集方法は、基地局と、広域無線通信網を介して前記基地局と通信することができるとともに、近距離無線通信網を介して他の移動局と通信することができる複数の移動局と、を備える安否情報収集システムにおける安否情報収集方法であって、複数の前記移動局の間で、前記近距離無線通信網を介した安否情報データベースの共有化処理が実行され、前記基地局から複数の前記移動局のうちの所定の前記移動局に対して、共有化された前記安否情報データベースが要求され、前記要求に基づいて、所定の前記移動局から前記基地局へ、共有化された前記安否情報データベースが送信されることを特徴とする。
【００１１】
本発明の安否情報収集プログラムは、基地局と、広域無線通信網を介して前記基地局と通信することができるとともに、近距離無線通信網を介して他の移動局と通信することができる複数の移動局と、を備える安否情報収集システムのコンピュータに、複数の前記移動局の間で、前記近距離無線通信網を介した安否情報データベースの共有化処理を実行する機能と、前記基地局から複数の前記移動局のうちの所定の前記移動局に対して、共有化された前記安否情報データベースを要求する機能と、前記要求に基づいて、所定の前記移動局から前記基地局へ、共有化された前記安否情報データベースを送信する機能を実行させるためのプログラムである。
【００１２】
本発明の移動局は、広域無線通信網を介して基地局と通信することができるとともに、近距離無線通信網を介して他の移動局と通信することができる複数の移動局であって、複数の前記移動局の間で、前記近距離無線通信網を介した安否情報データベースの共有化処理が実行され、前記基地局から複数の前記移動局のうちの所定の前記移動局に対して、共有化された前記安否情報データベースが要求され、前記要求に基づいて、所定の前記移動局から前記基地局へ、共有化された前記安否情報データベースが送信されることを特徴とする。
【００１３】
本発明の基地局は、広域無線通信網を介して移動局と通信することができる基地局であって、複数の前記移動局の間で、近距離無線通信網を介した安否情報データベースの共有化処理が実行された後に、複数の前記移動局のうちの所定の前記移動局に対して、共有化された前記安否情報データベースを要求し、前記要求に基づいて所定の前記移動局から送信された共有化された前記安否情報データベースを受信する。
【発明の効果】
【００１４】
本発明によれば、災害発生時において、移動局を保持するユーザの安否情報が一時期に集中する事態が回避され、安否情報をより確実に収集することができる。
【図面の簡単な説明】
【００１５】
【図１】本発明の実施形態に係る安否情報収集システムの構成例を示すブロック図である。
【図２】図１に示す移動局の構成例を示すブロック図である。
【図３】図１に示す基地局の構成例を示すブロック図である。
【図４】図２に示す移動局の動作例を説明するためのフローチャートである。
【図５】ある分割エリアにおける、基地局と複数の移動局との間で行われる通信と各処理を時系列的に示すシーケンス図である。
【発明を実施するための形態】
【００１６】
（構成の説明）
図１は、本発明の実施形態に係る安否情報収集システム１０の構成例を示すブロック図である。安否情報収集システム１０は、複数の移動局１２と、基地局１４とを備える。複数の移動局１２と基地局１４とは、広域無線通信網２０を介して通信することができる。また、移動局１２同士は、近距離無線通信網２２を介して通信することができる。
【００１７】
なお、以下では、広域無線通信網２０がセルラー通信網であり、近距離無線通信網２２がＷｉＦｉ（Wireless Fidelity／登録商標）通信網である場合を例に挙げて説明する。
【００１８】
図２は、図１に示す移動局１２の構成例を示すブロック図である。移動局１２は、ＷｉＦｉ通信送受信部３０と、セルラー通信送受信部３２と、記憶部３４と、制御部３６と、を備える。
【００１９】
ＷｉＦｉ通信送受信部３０は、ＷｉＦｉにより他の移動局１２と通信する。たとえば、ＷｉＦｉ通信送受信部３０は、他の移動局１２との間で安否情報データベースを送受信する。安否情報データベースは、少なくとも１つの移動局１２の安否情報を含む。安否情報は、移動局１２を識別する識別情報と、移動局１２の位置情報と、移動局１２が最後に操作された操作時間情報とを少なくとも含む。
【００２０】
セルラー通信送受信部３２は、セルラー通信により基地局１４と通信する。たとえば、セルラー通信送受信部３２は、基地局１４から安否情報データベース要求信号を受信するとともに、基地局１４に対して安否情報データベースを送信する。
【００２１】
記憶部３４は、安否情報データベースを少なくとも記憶する。
【００２２】
制御部３６は、隣接する移動局１２から安否情報データベースを受信した場合、記憶部３４に記憶された安否情報データベースを更新する。
【００２３】
また、制御部３６は、基地局１４から安否情報データベース要求信号を受信したと判定した際、記憶部３４から安否情報データベースを読み出し、読み出した安否情報データベースを、セルラー通信送受信部３２を介して基地局１４へ送信する。
【００２４】
図３は、図１に示す基地局１４の構成例を示すブロック図である。基地局１４は、セルラー通信送受信部４０と、記憶部４２と、制御部４４と、を備える。
【００２５】
セルラー通信送受信部４０は、セルラー通信により移動局１２と通信する。
【００２６】
記憶部４２は、後述する移動局リストを記憶する。
【００２７】
制御部４４は、移動局リストを作成する。移動局リストは、自カバーエリア内に位置する１つ以上の移動局１２についての情報である。移動局リストにおいて、移動局１２毎に識別情報および位置情報が設定される。
【００２８】
また、制御部４４は、移動局リストを更新する。具体的には、制御部４４は、移動局リストにおいて安否情報の受信が完了した移動局１２を受信済とする。
【００２９】
また、制御部４４は、セルラー通信送受信部４０を介して移動局１２から受信した安否情報データベースを収集する。
【００３０】
また、制御部４４は、移動局リストの中から安否情報データベースを基地局１４へ送信する移動局１２を選択する。制御部４４は、セルラー通信送受信部４０を介して、選択した移動局１２に対して安否情報データベース要求信号を送信する。
（動作の説明）
まず、基地局１４の動作について説明する。基地局１４の制御部４４は、以下で説明する安否情報収集に先だって、自カバーエリア内に位置する全ての移動局１２のそれぞれから識別情報および位置情報を収集し、移動局リストを作成する。移動局リストは、記憶部４２に記憶される。
【００３１】
制御部４４は、上位系装置から緊急地震速報の送信を要求された場合、緊急地震速報を自セル内の全ての移動局１２へ送信する。制御部４４は、移動局１２におけるＷｉＦｉ通信の設定情報であるＷｉＦｉ設定情報を生成し、自セル内の全ての移動局１２に送信する。ＷｉＦｉ設定情報は、アクセスポイント（以下、ＡＰと呼ぶ）モード（親機モードとも呼ぶ）に設定する移動局１２の識別情報を示すＡＰ識別情報と、ＡＰモードに設定された移動局１２がＡＰモードの状態を保持する保持時間Ｔを示すＡＰ保持時間情報と、ＷｉＦｉ通信時の最大送信電力を示す最大送信電力情報と、を少なくとも含む。なお、ＷｉＦｉ通信時の最大送信電力は、次に述べるＳ等分された１分割エリアを十分にカバーするように設定される。
【００３２】
制御部４４は、自カバーエリアをＳ（正の整数）個の分割エリアに分割する。制御部４４は、移動局リストに基づいて、分割エリア毎に移動局１２を割り振る。制御部４４は、分割エリア毎にＷｉＦｉ設定情報を作成する。
【００３３】
なお、移動局の機種や能力(UE Capability)等の情報を基に、ＷｉＦｉ機能を有する移動局の識別情報のみをＡＰ識別情報として選択しても良いし、移動局の通信可能帯域、最大通信速度、移動局が対応する３ＧＰＰの規格、電池容量、最大通信可能時間等の少なくともいずれかを基準に、性能が高い移動局の識別情報を優先して、ＡＰ識別情報に選択してＷｉＦｉ設定情報を生成しても良い。
【００３４】
また、分割エリアのサイズは、全エリアが同一のサイズであっても良いし、それぞれのエリアが異なるサイズであっても良い。また、分割エリア毎に選択する移動局の数は、同一であっても良いし、異なっていても良い。例えば、移動局が密集する場所では、分割エリアを狭くし、移動局が散在する場所における分割エリア内の移動局の数と同程度になるように分割エリアのサイズを決定しても良い。
【００３５】
制御部４４は、ある分割エリアについて、ＡＰモードに設定するｎ（正の整数）台の移動局を、第１〜第ｎＡＰ移動局として選択する。第１〜第ｎＡＰ移動局は、ＡＰモードに設定する移動局の順番に対応する。例えば、第１ＡＰ移動局は、ＷｉＦｉ設定情報を受信してから最初にＡＰモードに設定する移動局に対応し、第２〜第ｎＡＰ移動局はクライアントモード（子機モードとも呼ぶ）に設定する移動局に対応する。
【００３６】
なお、移動局が所属する分割エリアは、移動局の位置によって変化するが、分割エリア内におけるＡＰモードの移動局の位置が変化すれば、対応するＡＰのカバーエリアは変化する。このため、クライアントモード移動局の分割エリアと、クライアントモードの移動局が通信するＡＰモード移動局の分割エリアは異なっていても良い。このように、ＡＰモードの移動局は、分割エリア毎に決定されるが、ＡＰモード移動局の通信相手は、ＡＰモード移動局の分割エリアに制限されるものではなく、ＡＰモード移動局の電波が届くエリアであれば全ての移動局と通信を行っても良い。
【００３７】
第１ＡＰ移動局がＡＰモードに設定されてからＴ時間経過した際、第１ＡＰ移動局はＡＰモードからクライアントモードに切り替えられ、第２ＡＰ移動局はクライアントモードからＡＰモードに切り替えられる。第ｎＡＰ移動局までは、基地局１４から通知された第１〜ｎの順番でＡＰモードへの設定を実施する。これ以降は、ＡＰモードとなる移動局１２がランダムに設定されるように、移動局１２自らが決定してもよいし、第１から第ｎを繰り返してもよい。
【００３８】
なお、ｎは、必ずしもある分割エリアに存在する全ての移動局１２の数と同一である必要はなく、所定の基準（たとえば、隣接分割セルと重複する位置に存在する移動局であるか否か）に基づいて任意に設定することができる。
【００３９】
制御部４４は、緊急地震速報を送信してから安否情報収集開始時間Ｖが経過した場合、移動局リストの中から任意の１台の移動局１２を選択する。制御部４４は、選択した移動局１２に対して、上りリンクのリース割り当てを実施するとともに、選択した移動局１２に対して、上りリソース割り当て情報を含む安否情報データベース要求信号を送信する。これにより、選択した移動局１２から基地局１４への上り通信が可能となる。
【００４０】
制御部４４は、セルラー通信送受信部４０を介して、選択した移動局１２から安否情報データベースを受信する。制御部４４は、受信した安否情報データベースに安否情報が含まれている移動局１２を移動局リストにおいて「安否情報取集済み」の移動局１２としてチェックする。
【００４１】
次に、制御部４４は、更新した移動局リストの中から安否情報取集済みとしてチェックされてない移動局１２の中から１台の移動局１２を選択し、選択した移動局１２に対して、上りリンクのリソース割り当てを実施する。制御部４４は、選択した移動局１２に対して、上りリソース割り当て情報を含む安否情報データベース要求信号を送信する。本実施形態では、１台の移動局に安否情報データベース要求信号を送信しているが、同じ時間において複数台の移動局に安否情報データベース要求信号を送信しても良い。
【００４２】
次に、移動局１２の動作について説明する。図４は、移動局１２の動作例を説明するためのフローチャートである。
【００４３】
移動局１２の制御部３６は、基地局１４から緊急地震速報を受信したか否かを判定する（ステップＳ１）。緊急地震速報を受信しない場合（ステップＳ１においてＮｏ）、ステップＳ１の処理が再度実行される。緊急地震速報を受信した場合（ステップＳ１においてＹｅｓ）、制御部３６は、基地局１４からＷｉＦｉ設定情報を受信する（ステップＳ２）。制御部３６は、自局のＷｉＦｉ機能がＯＦＦの場合、自局のＷｉＦｉ機能をＯＮに設定する（ステップＳ３）。
【００４４】
制御部３６は、ＷｉＦｉモードを決定する（ステップＳ４）。具体的には、制御部３６は、ＷｉＦｉ設定情報に含まれる第１〜ｎのＡＰ識別情報と自局の識別番号とが一致した場合には対応する時間において自局のＷｉＦｉ機能をＡＰモードに設定し、自局の識別情報が一致しない場合には自局のＷｉＦｉ機能をクライアントモードに設定する。なお、ｎ（１＜ｎ＜Ｎ）番目の移動局１２は、（ｎ−１）×Ｔ〜ｎ×Ｔの期間においてＡＰモードとなる。また、ＷｉＦｉ通信における最大送信電力は、ＷｉＦｉ設定情報に含まれる最大送信電力情報に基づいて決定される。
【００４５】
安否情報データベースの送受信処理が実行される（ステップＳ５）。具体的には、クライアントモードの移動局１２は、自局が保有する安否情報データベースを、ＡＰモードの移動局１２へ送信する。ＡＰモードの移動局１２は、複数の移動局１２から受信した全ての安否情報データベースと自局が保持する安否情報データベースとに基づいて、受信した全てのデータベースにおける全ての移動局の安否情報が含まれるような新たな安否情報データベースを作成して、クライアントモードの移動局１２へ送信する。個別に送信しても良いし、ブロードキャストで送信しても良い。
【００４６】
安否情報データベースの更新処理が実行される（ステップＳ６）。具体的には、ＡＰモードの移動局１２から安否情報データベースを受信したクライアントモードの移動局１２は、受信した安否情報データベースと自局が保持する安否情報データベースとを比較する。クライアントモードの移動局１２は、受信した安否情報データベースに存在しない情報が自局の安否情報データベースに存在する場合、受信した安否情報データベースにその差分情報を追加して、自局の安否情報データベースとして更新する。また、受信した安否情報データベースと自局の安否情報データベースに同一の移動局に関する情報が含まれる場合、操作時間情報が最新の情報のみを自局の安否情報データベースに保持する。
【００４７】
制御部３６は、基地局１４から安否情報送信停止信号を受信したか否かを判定する（ステップＳ７）。安否情報送信停止信号を受信しない場合（ステップＳ７においてＮｏ）、安否情報データベースの送受信（ステップＳ５）および安否情報データベースの更新（ステップＳ６）が繰り返し実行される。
【００４８】
安否情報送信停止信号を受信した場合（ステップＳ７においてＹｅｓ）、安否情報データベースの送受信および更新は停止される（ステップＳ８）。そして、安否情報送信停止信号を受信してから所定時間Ｗの間、移動局１２は、ＷｉＦｉ通信により安否情報送信停止信号を周囲の移動局１２へ送信する。移動局１２は、安否情報データベースを送受信した場合と同様に、ＷｉＦｉ設定情報を基に、ＡＰモードとクライアントモードを切り替えて、ＡＰモードとなった移動局１２が、安否情報送信停止信号を、ブロードキャスト送信しても良いし、他の方法であっても良い。
【００４９】
図５は、ある分割エリアにおける、基地局１４と複数の移動局１２（たとえば、第１移動局、第２移動局、第３移動局）との間で行われる通信と各処理を時系列的に示すシーケンス図である。図５における通信および各処理の説明に関しては、上述した説明（基地局１４の動作説明、および図４を用いた移動局１２の説明）と同一であるため、省略される。なお、図５では、最初に第１移動局がＡＰモードなり、次に第３移動局がＡＰモードとなり、第２移動局はＡＰモードとなることなくクライアントモードのままである場合が例示されている。
（効果の説明）
以上説明した実施形態によれば、複数の移動局１２の間で、ＷｉＦｉ通信網を介して安否情報の共有化処理（ステップＳ５に示す安否情報データベースの送受信処理およびステップＳ６に示す安否情報データベースの更新処理）が実行される。そして、基地局１４は、複数の移動局１２のうちの所定の１つの移動局１２に対して、共有化された安否情報データベースを要求する。要求に基づいて、所定の１つの移動局１２は、基地局１４へ、共有化された安否情報データベースを送信する。
【００５０】
上記共有化処理は、ＷｉＦｉ通信網上で実行されるため、セルラー通信網の通信負荷を増大させることはない。もちろん、最終的には、安否情報データベースは移動局１２から基地局１４へ送信されることになるが、安否情報データベースを送信する移動局１２は、一部の移動局１２（たとえば、基地局１４のカバーエリアを３つに分割した場合、３台）で済む。従って、その場合のセルラー通信網のトラフィックは、全ての移動局からの初期アクセスが集中する場合のトラフィックと比較した場合、極めて低い。
【００５１】
すなわち、以上説明した実施形態によれば、災害発生時において、移動局１２を保持するユーザからのアクセスが一時期に集中する事態が回避される。結果として、基地局１４が緊急地震速報を送信してから基地局１４が地震により損傷するまでの間に移動局１２の安否情報をより確実に収集することが可能となる。
【００５２】
なお、以上の説明では、上位系装置からの速報が地震速報である場合が例示されているが、速報は地震に限定されず災害全般に広く適用可能である。たとえば、速報は、台風速報や津波速報であってもよい。
【００５３】
また、以上の説明では、広域無線通信網２０がセルラー通信網である場合が例示されているが、広域無線通信網２０は、セルラー通信網に限定されない。さらに、広域無線通信網と近距離無線通信網は、異なる無線通信網であっても良いし、同一の無線通信網であっても良い。また、広域無線通信網と近距離無線通信網における無線通信方式は異なる方式であっても良いし、同一であっても良い。
【００５４】
また、以上の説明では、近距離無線通信網２２がＷｉＦｉ通信網である場合が例示されているが、近距離無線通信網２０は、ＷｉＦｉ通信網に限定されない。
【００５５】
また、以上説明した実施形態の全部又は一部の機能を実現するためのプログラムをコンピュータ読み取り可能な記録媒体に記録して、この記録媒体に記録されたプログラムをコンピュータシステムに読み込ませ、実行することにより各部の処理を行ってもよい。
【００５６】
「コンピュータシステム」の例としては、例えば、ＣＰＵ（Central Processing Unit）を挙げることができる。
【００５７】
「コンピュータ読み取り可能な記録媒体」は、例えば、非一時的な記憶装置である。非一時的な記憶装置の例としては、例えば、光磁気ディスク、ＲＯＭ（Read Only Memory）、不揮発性半導体メモリ等の可搬媒体、コンピュータシステムに内蔵されるハードディスクを挙げることができる。また、「コンピュータ読み取り可能な記録媒体」は、一時的な記憶装置であってもよい。一時的な記憶装置の例としては、例えば、インターネット等のネットワークや電話回線等の通信回線を介してプログラムを送信する場合の通信線、あるいは、コンピュータシステム内部の揮発性メモリを挙げることができる。
【００５８】
また、上記プログラムは、前述した機能の一部を実現するためのものであってもよく、更に前述した機能をコンピュータシステムにすでに記録されているプログラムとの組み合わせで実現できるものであってもよい。
【００５９】
以上、実施形態を用いて本発明を説明したが、本発明の技術的範囲は、上記実施形態の記載に限定されない。上記実施形態に多様な変更又は改良を加えることが可能であることは当業者にとって自明である。従って、そのような変更又は改良を加えた形態もまた本発明の技術的範囲に含まれることは説明するまでもない。また、以上説明した実施形態において使用される、数値や各構成の名称等は例示的なものであり適宜変更可能である。
【符号の説明】
【００６０】
１０    安否情報収集システム
１２    移動局
１４    基地局
２０    広域無線通信網
２２    近距離無線通信網
３０    ＷｉＦｉ通信送受信部
３２    セルラー通信送受信部
３４    記憶部
３６    制御部
４０    セルラー通信送受信部
４２    記憶部
４４    制御部
【図１】
2015177409.tif 000003
【図２】
2015177409.tif 000004
【図３】
2015177409.tif 000005
【図４】
2015177409.tif 000006
【図５】
2015177409.tif 000007